(57)【要約】【課題】本発明は、バッテリの放電時間を効果的に延長することができる放電回路を提供する。【解決手段】本発明に係る放電回路は、バッテリの放電時間を延長するために用いられ、第一電流制限抵抗を介して電源に接続され、且つ放電出力するために使用され、電圧入力を検出すると、最小動作電圧を６．３Ｖに設定し、電圧入力を検出しない場合、最小動作電圧を５．５Ｖに設定することができる放電ＩＣと、第一電流制限抵抗を介して電源に接続され、バッテリのみが電源として使用された場合、放電ＩＣが電圧入力を検出することができないようにして、放電ＩＣの最小動作電圧を５．５Ｖに設定させることができる遅延放電回路と、を備える。【選択図】図１
2013188129.tif 000002
【特許請求の範囲】
【請求項１】
バッテリの放電時間を延長するための放電回路において、第一電流制限抵抗を介して電源に接続され、且つ放電出力するために使用され、電圧入力を検出すると、最小動作電圧を６．３Ｖに設定し、電圧入力を検出しない場合、最小動作電圧を５．５Ｖに設定することができる放電ＩＣと、第一電流制限抵抗を介して電源に接続され、バッテリのみが電源として使用された場合、放電回路は放電ＩＣが電圧入力を検出することができないようにして、放電ＩＣの最小動作電圧を５．５Ｖに設定させることができる遅延放電回路と、を備えることを特徴とする放電回路。
【請求項２】
放電回路は、マイクロコントローラユニットに接続され、該マイクロコントローラユニットは、バッテリのみが電源として使用された場合、ローレベルを生成し、外部電源用のアダプタを使用して、携帯式電子製品に電力が供給された場合、ハイレベルを生成し、前記遅延放電回路は、放電ＩＣとマイクロコントローラユニットとの間に接続され、且つＮＰＮトランジスタ及びＰＭＯＳトランジスタを備え、該ＮＰＮトランジスタのベースは、マイクロコントローラユニットに接続され、ＮＰＮトランジスタのエミッタは、接地され、ＮＰＮトランジスタのコレクタは、ＰＭＯＳトランジスタのゲートに接続され、且つ電源に接続され、ＰＭＯＳトランジスタのゲートは、前記ＮＰＮトランジスタのコレクタに接続され、ＰＭＯＳトランジスタのソースは、第一電流制限抵抗を介して電源に接続され、ＰＭＯＳトランジスタのドレインは、放電ＩＣに接続され、外部電源用のアダプタが使用された場合、マイクロコントローラユニットは、ハイレベルを生成し、これにより、ＮＰＮトランジスタは、オンになり、ＰＭＯＳトランジスタのゲートは、ローレベルにあり、これにより、ＰＭＯＳトランジスタは、オンになり、従って、放電ＩＣは、第一電流制限抵抗を介して電源に接続され、電圧入力を検出することができ、最小動作電圧を６．３Ｖに設定し、バッテリのみが電源として使用された場合、マイクロコントローラユニットは、ローレベルを生成し、これにより、ＮＰＮトランジスタは、オフになり、ＰＭＯＳトランジスタのゲートは、ハイレベルにあり、これにより、ＰＭＯＳトランジスタは、オフになり、従って、放電ＩＣと第一電流制限抵抗及び電源との接続は、切断され、放電ＩＣは、電圧入力を検出しないため、最小動作電圧を５．５Ｖに設定することを特徴とする請求項１に記載の放電回路。
【請求項３】
第一電流制限抵抗は、ＰＭＯＳトランジスタがオンになり、バッテリが放電ＩＣに電力を供給した場合、電流制限保護を提供するために用いられ、前記遅延放電回路は、第二電流制限抵抗及び第三電流制限抵抗をさらに備え、ＮＰＮトランジスタのベースは、該第三電流制限抵抗を介してマイクロコントローラユニットに接続され、ＮＰＮトランジスタのコレクタは、ＰＭＯＳトランジスタのゲートに接続され、且つ第二電流制限抵抗を介して電源に接続されることを特徴とする請求項２に記載の放電回路。
【発明の詳細な説明】
【技術分野】
【０００１】
本発明は、放電回路に関し、特にバッテリの放電時間を延長することができる放電回路に関するものである。
【背景技術】
【０００２】
ポータブルＤＶＤプレーヤ、携帯電話、ＭＰ３及びＭＰ４プレーヤなどの携帯式電子製品は、一般的に、バッテリを電源として使用される。しかし、バッテリの放電時間は、限られている。
【発明の概要】
【発明が解決しようとする課題】
【０００３】
前記課題を解決するために、本発明は、バッテリの放電時間を効果的に延長することができる放電回路を提供する。
【課題を解決するための手段】
【０００４】
本発明に係る放電回路は、バッテリの放電時間を延長するために用いられ、第一電流制限抵抗を介して電源に接続され、且つ放電出力するために使用され、電圧入力を検出すると、最小動作電圧を６．３Ｖに設定し、電圧入力を検出しない場合、最小動作電圧を５．５Ｖに設定することができる放電ＩＣと、第一電流制限抵抗を介して電源に接続され、バッテリのみが電源として使用された場合、放電ＩＣが電圧入力を検出することができないようにして、放電ＩＣの最小動作電圧を５．５Ｖに設定させることができる遅延放電回路と、を備える。
【発明の効果】
【０００５】
従来の技術と比べて、本発明に係る放電回路において、放電ＩＣは、電圧入力を検出すると、最小動作電圧を６．３Ｖに設定し、電圧入力を検出しない場合、最小動作電圧を５．５Ｖに設定する電気特性を有する。この特性を利用して、バッテリのみが電源として使用された場合、放電ＩＣ１２は電圧入力を検出しないため、放電ＩＣ１２の最小動作電圧を５．５Ｖに設定することができる。従って、バッテリの放電時間を大幅に延長させることができる。
【図面の簡単な説明】
【０００６】
【図１】本発明の実施形態に係るバッテリの放電時間を延長するための放電回路の回路図である。
【発明を実施するための形態】
【０００７】
以下、図面を参照して、本発明の実施形態について説明する。
【０００８】
図１を参照すると、本発明の実施形態に係る放電回路１０は、バッテリを電源として使用される携帯式電子製品に適用される。該放電回路１０は、マイクロコントローラユニット（ＭＣＵ）２０に接続される。マイクロコントローラユニット２０は、携帯式電子製品において、バッテリのみが電源として使用された場合、ローレベル（低電圧）を生成し、外部電源用のアダプタ（図示せず）を使用して、携帯式電子製品に電力が供給された場合、ハイレベル（高電圧）を生成することに用いられる。放電回路１０は、放電ＩＣ１２、第一電流制限抵抗１４及び遅延放電回路１６を備える。
【０００９】
放電ＩＣ１２は、第一電流制限抵抗１４を介して電源Ｖｂａｔに接続される。該放電ＩＣ１２は、Ｕｎｉｃｏｒｎ２０であり、電圧入力を検出すると、最小動作電圧を６．３Ｖに設定し、電圧入力を検出しない場合、最小動作電圧を５．５Ｖに設定する。
【００１０】
遅延放電回路１６は、第一電流制限抵抗１４を介して前記電源Ｖｂａｔに接続される。携帯式電子製品において、バッテリのみが電源として使用された場合、遅延放電回路１６は、放電ＩＣ１２が電圧入力を検出することができないようにして、放電ＩＣ１２の最小動作電圧を５．５Ｖに設定する。外部電源用のアダプタが使用された場合、遅延放電回路１６は、放電ＩＣ１２が電圧入力を検出することができるようにして、放電ＩＣ１２の最小動作電圧を６．３Ｖに設定する。
【００１１】
遅延放電回路１６は、放電ＩＣ１２とマイクロコントローラユニット２０との間に接続され、ＮＰＮトランジスタ１６２、ＰＭＯＳトランジスタ１６４、第二電流制限抵抗１６６及び第三電流制限抵抗１６８を備える。ＮＰＮトランジスタ１６２のベースは、第三電流制限抵抗１６８を介してマイクロコントローラユニット２０に接続され、ＮＰＮトランジスタ１６２のエミッタは、接地され、ＮＰＮトランジスタ１６２のコレクタは、ＰＭＯＳトランジスタ１６４のゲートに接続され、且つ第二電流制限抵抗１６６を介して電源Ｖｂａｔに接続される。ＰＭＯＳトランジスタ１６４のゲートは、第二電流制限抵抗１６６及びＮＰＮトランジスタ１６２のコレクタに接続され、ＰＭＯＳトランジスタ１６４のソースは、第一電流制限抵抗１４を介して電源Ｖｂａｔに接続され、ＰＭＯＳトランジスタ１６４のドレインは、放電ＩＣ１２に接続される。第一電流制限抵抗１４は、ＰＭＯＳトランジスタ１６４がオンになり、電源Ｖｂａｔが電力を供給した場合、電流制限保護を提供するために用いられる。
【００１２】
外部電源用のアダプタが使用された場合、マイクロコントローラユニット２０は、ハイレベルを生成し、これによりＮＰＮトランジスタ１６２は、オンになる。ＮＰＮトランジスタ１６２がオンになると、ＰＭＯＳトランジスタ１６４のゲートは、ローレベルにあり、これにより、ＰＭＯＳトランジスタ１６４は、オンになる。従って、放電ＩＣ１２は、第一電流制限抵抗１４を介して電源Ｖｂａｔに接続され、電圧入力を検出することができ、放電ＩＣ１２の最小動作電圧は、６．３Ｖに設定される。バッテリのみが電源として使用された場合、マイクロコントローラユニット２０は、ローレベルを生成し、これにより、ＮＰＮトランジスタ１６２は、オフになる。ＮＰＮトランジスタ１６２がオフになると、ＰＭＯＳトランジスタ１６４のゲートは、ハイレベルにあり、これにより、ＰＭＯＳトランジスタ１６４は、オフになり、放電ＩＣ１２と第一電流制限抵抗１４及び電源Ｖｂａｔとの接続は、切断される。従って、放電ＩＣ１２は、電圧入力を検出することができず、放電ＩＣ１２の最小動作電圧は、５．５Ｖに設定される。
【００１３】
本発明の実施形態に係る放電回路１０において、放電ＩＣ１２は、電圧入力を検出すると、最小動作電圧を６．３Ｖに設定し、電圧入力を検出しない場合、最小動作電圧を５．５Ｖに設定する電気特性を有する。この特性を利用して、バッテリのみが電源として使用された場合、放電ＩＣ１２は電圧入力を検出しないため、放電ＩＣ１２の最小動作電圧を５．５Ｖに設定することができる。従って、バッテリの放電時間を大幅に延長させることができる。
【符号の説明】
【００１４】
１０  放電回路
２０  マイクロコントローラユニット
１２  放電ＩＣ
１４  第一電流制限抵抗
１６  遅延放電回路
１６２  ＮＰＮトランジスタ
１６４  ＰＭＯＳトランジスタ
１６６  第二電流制限抵抗
１６８  第三電流制限抵抗
Ｖｂａｔ  電源
【図１】
2013188129.tif 000003